(57)【特許請求の範囲】
【請求項１】
基地局によって実行される、ワイヤレスローカルエリアネットワーク（ＷＬＡＮ）とワイドエリアワイヤレスネットワーク（ＷＷＡＮ）との両方において登録されているユーザ機器（ＵＥ）の識別を確認するための方法において、
前記ＵＥとの通信を確立することと、ここにおいて、前記ＵＥは、前記ＷＷＡＮ中の第１の組の１つ以上の識別子によって、および、前記ＷＬＡＮ中の第２の組の１つ以上の識別子によって識別され、および、前記確立することは、前記ＵＥに前記第１の組の１つ以上の識別子または前記第２の組の１つ以上の識別子のうちの一つの表示を提供することを備え、
前記第１の組の１つ以上の識別子または前記第２の組の１つ以上の識別子のうちの他の一つの表示を受信することと、
前記第１の組および第２の組の識別子に基づいて、前記ＷＷＡＮおよび前記ＷＬＡＮに接続されているＵＥが前記ＵＥであると決定することと、
ＷＷＡＮとＷＬＡＮとのインターワーキングを、前記ＵＥが能力としてサポートすると決定することとを含む方法。
【請求項２】
ロングタームエボリューション（ＬＴＥ）インターネットプロトコル（ＩＰ）アドレスおよびＷＬＡＮメディアアクセス制御（ＭＡＣ）アドレスを、前記ＵＥから受信することをさらに含む請求項１記載の方法。
【請求項３】
前記ＷＷＡＮおよび前記ＷＬＡＮに接続されているＵＥが前記ＵＥであると決定することは、前記第１の組の識別子からの識別子を、前記第２の組の識別子からの識別子と比較することを含む請求項１記載の方法。
【請求項４】
前記ＷＷＡＮとＷＬＡＮとのインターワーキングを、前記ＵＥが能力としてサポートするとの決定は、前記ＷＬＡＮまたは前記ＷＷＡＮ上での前記ＵＥとの通信を前記確立することの一部として、能力として提供される請求項１記載の方法。
【請求項５】
前記ＷＷＡＮとＷＬＡＮとのインターワーキングを、前記ＵＥが能力としてサポートするとの決定は、前記ＷＷＡＮへの登録の一部として、能力として提供される請求項１記載の方法。
【請求項６】
前記ＷＷＡＮとＷＬＡＮとのインターワーキングは、無線アクセスネットワーク（ＲＡＮ）またはコアネットワーク（ＣＮ）のうちの少なくとも１つをＷＷＡＮとＷＬＡＮとがインターワーキングすることを含む請求項１記載の方法。
【請求項７】
先行する請求項１〜６のうちのいずれかに記載の方法を実行するように適合されている基地局。
【請求項８】
先行する請求項１〜６のうちのいずれかに記載の方法をコンピュータに実行させるための命令を含むコンピュータ読み取り可能な記録媒体。
【請求項９】
ＵＥによって実行される、ワイヤレスローカルエリアネットワーク（ＷＬＡＮ）とワイドエリアワイヤレスネットワーク（ＷＷＡＮ）との両方において登録されているユーザ機器（ＵＥ）の識別を確認するための方法において、
前記ＷＷＡＮまたは前記ＷＬＡＮのうちの一つにおける第１の基地局との通信を確立することと、ここにおいて、前記ＵＥは、前記ＷＷＡＮ中の第１の組の１つ以上の識別子によって、および、前記ＷＬＡＮ中の第２の組の１つ以上の識別子によって識別され、前記確立することは、前記ＷＷＡＮまたは前記ＷＬＡＮにおいて、前記ＵＥを識別する前記第１の組または前記第２の組の１つ以上の識別子の表示を前記第１の基地局から受信することを備え、
前記ＷＷＡＮまたは前記ＷＬＡＮのうちの他の一つにおける第２の基地局との通信を確立するときに、前記第２の基地局が前記ＵＥを識別できるようにする前記受信された第１の組または第２の組の１つ以上の識別子の表示を前記第２の基地局に提供することと、
ＷＷＡＮとＷＬＡＮとのインターワーキングを、前記ＷＷＡＮおよび前記ＷＬＡＮが能力としてサポートすると決定することとを含む方法。
【請求項１０】
前記ＷＷＡＮまたは前記ＷＬＡＮのうちの他の一方が前記ＵＥを識別できるようにする１組の識別子を提供することは、ロングタームエボリューション（ＬＴＥ）インターネットプロトコル（ＩＰ）アドレスおよびＷＬＡＮメディアアクセス制御（ＭＡＣ）アドレスを提供することを含む請求項９記載の方法。
【請求項１１】
前記ＷＬＡＮまたは前記ＷＷＡＮのうちの最初の一方との通信を確立することの一部として、ＷＷＡＮとＷＬＡＮとのインターワーキングを前記ＵＥが能力としてサポートすることを提供することをさらに含む請求項９記載の方法。
【請求項１２】
前記能力は、前記ＷＷＡＮへの登録の一部として提供される請求項９記載の方法。
【請求項１３】
前記ＷＷＡＮとＷＬＡＮとのインターワーキングは、無線アクセスネットワーク（ＲＡＮ）またはコアネットワーク（ＣＮ）のうちの少なくとも１つをＷＷＡＮとＷＬＡＮとがインターワーキングすることを含む請求項９記載の方法。
【請求項１４】
先行する請求項９〜１３のうちのいずれかに記載の方法を実行するように適合されているユーザ機器（ＵＥ）。
【請求項１５】
先行する請求項９〜１３のうちのいずれかに記載の方法をコンピュータに実行させるための命令を記録したコンピュータ読み取り可能な記録媒体。
【発明の詳細な説明】
【米国特許法第１１９条の下での優先権の主張】
【０００１】
［０００１］
本出願は、その全体が参照によってここに組み込まれている、２０１３年１月２３日に出願された米国仮特許出願番号第６１／７５５，５０５号の利益を主張する。
【背景】
【０００２】
分野
［０００２］
本開示の態様は、概して、ワイヤレス通信に関連しており、より詳細には、ロングタームエボリューション（ＬＴＥ）の識別子とワイヤレスローカルエリアネットワーク（ＷＬＡＮ）の識別子とを相関させることによって、無線アクセスネットワーク（ＲＡＮ）においてＬＴＥとＷＬＡＮとを使用することをユーザ機器（ＵＥ）およびネットワークにおいて決定するための技術に関連している。
【０００３】
背景
［０００３］
ワイヤレス通信ネットワークは、音声、ビデオ、パケットデータ、メッセージング、ブロードキャストなどのような、さまざまな通信コンテンツを提供するように、幅広く配備されている。これらのワイヤレスネットワークは、利用可能なネットワークリソースを共有することによって複数のユーザをサポートすることが可能である、多元接続ネットワークであるかもしれない。このような多元接続ネットワークの例には、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークが含まれる。
【０００４】
［０００４］
ユーザ機器（ＵＥ）は、複数のワイヤレスネットワークのカバレッジ内に位置しているかもしれず、複数のワイヤレスネットワークは、異なる通信サービスをサポートしているかもしれない。１つ以上の基準に基づいて、ＵＥを担当するように適切なワイヤレスネットワークを選択してもよい。選択したワイヤレスネットワークは、ＵＥに対して、所望の通信サービス（例えば、音声サービス）を提供できないかもしれない。その場合は、所望の通信サービスを提供できる別のワイヤレスネットワーク（例えば、２Ｇ、３Ｇ、または非ＬＴＥ４Ｇ）へＵＥをリダイレクトするように、１組の手順を実行してもよい。
【概要】
【０００５】
［０００５］
本開示のある態様は、基地局によるワイヤレス通信のための方法を提供している。方法は一般的に、第１のユーザ機器（ＵＥ）との通信を確立し、ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別されることと、第１の組および第２の組の識別子に基づいて、ＷＷＡＮおよびＷＬＡＮに接続されているＵＥが第１のＵＥであると決定することとを含んでいる。
【０００６】
［０００６］
本開示のある態様は、ユーザ機器によるワイヤレス通信のための方法を提供している。方法は一般的に、ワイドエリアワイヤレスネットワーク（ＷＷＡＮ）およびワイドローカルエリアネットワーク（ＷＬＡＮ）との通信を確立し、ＵＥは、ＷＷＡＮ中の第１の組の１つ以上の識別子によって、および、ＷＬＡＮ中の第２の組の１つ以上の識別子によって識別されることと、ＷＷＡＮまたはＷＬＡＮのうちの最初の一方との通信を確立するときに、ＷＷＡＮまたはＷＬＡＮのうちの他の一方がＵＥを識別できるようにする１組の識別子を提供することとを含んでいる。
【０００７】
［０００７］
本開示のある態様は、第１の基地局による安全なワイヤレス通信のための装置を提供している。装置は一般的に、第１のＵＥとの通信を確立し、ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別される手段と、第１の組および第２の組の識別子に基づいて、ＷＷＡＮおよびＷＬＡＮに接続されているＵＥが第１のＵＥであると決定する手段とを備えている。
【０００８】
［０００８］
本開示のある態様は、第１の基地局による安全なワイヤレス通信のための装置を提供している。装置は一般的に、第１のＵＥとの通信を確立し、ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別されるようにと、第１の組および第２の組の識別子に基づいて、ＷＷＡＮおよびＷＬＡＮに接続されているＵＥが第１のＵＥであると決定するように構成されている少なくとも１つのプロセッサを備えている。装置はまた、少なくとも１つのプロセッサに結合されているメモリを備えている。
【０００９】
［０００９］
本開示のある態様は、第１の基地局による安全なワイヤレス通信のためのコンピュータプログラムプロダクトを提供している。コンピュータプログラムプロダクトは一般的に、その上に記憶されている命令を有するコンピュータ読み取り可能媒体を備えており、命令は、第１のＵＥとの通信を確立し、ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別されることと、第１の組および第２の組の識別子に基づいて、ＷＷＡＮおよびＷＬＡＮに接続されているＵＥが第１のＵＥであると決定することとのために、１つ以上のプロセッサによって実行可能である。
【００１０】
［００１０］
本開示のある態様は、ＵＥによる安全なワイヤレス通信のための装置を提供している。装置は一般的に、ワイドエリアワイヤレスネットワーク（ＷＷＡＮ）およびワイドローカルエリアネットワーク（ＷＬＡＮ）との通信を確立し、ＵＥは、ＷＷＡＮ中の第１の組の１つ以上の識別子によって、および、ＷＬＡＮ中の第２の組の１つ以上の識別子によって識別される手段と、ＷＷＡＮまたはＷＬＡＮのうちの最初の一方との通信を確立するときに、ＷＷＡＮまたはＷＬＡＮのうちの他の一方がＵＥを識別できるようにする１組の識別子を提供する手段とを備えている。
【００１１】
［００１１］
本開示のある態様は、ＵＥによる安全なワイヤレス通信のための装置を提供している。装置は一般的に、ワイドエリアワイヤレスネットワーク（ＷＷＡＮ）およびワイドローカルエリアネットワーク（ＷＬＡＮ）との通信を確立し、ＵＥは、ＷＷＡＮ中の第１の組の１つ以上の識別子によって、および、ＷＬＡＮ中の第２の組の１つ以上の識別子によって識別されるようにと、ＷＷＡＮまたはＷＬＡＮのうちの最初の一方との通信を確立するときに、ＷＷＡＮまたはＷＬＡＮのうちの他の一方がＵＥを識別できるようにする１組の識別子を提供するように構成されている少なくとも１つのプロセッサを備えている。装置はまた、少なくとも１つのプロセッサに結合されているメモリを備えている。
【００１２】
［００１２］
本開示のある態様は、ＵＥによる安全なワイヤレス通信のためのコンピュータプログラムプロダクトを提供している。コンピュータプログラムプロダクトは一般的に、その上に記憶されている命令を有するコンピュータ読み取り可能媒体を備えており、命令は、ワイドエリアワイヤレスネットワーク（ＷＷＡＮ）およびワイドローカルエリアネットワーク（ＷＬＡＮ）との通信を確立し、ＵＥは、ＷＷＡＮ中の第１の組の１つ以上の識別子によって、および、ＷＬＡＮ中の第２の組の１つ以上の識別子によって識別されることと、ＷＷＡＮまたはＷＬＡＮのうちの最初の一方との通信を確立するときに、ＷＷＡＮまたはＷＬＡＮのうちの他の一方がＵＥを識別できるようにする１組の識別子を提供することとのために、１つ以上のプロセッサによって実行可能である。
【図面の簡単な説明】
【００１３】
［００１３］
本開示の上記に記載した特徴を詳細に理解できるように、上記で簡単に要約したもののさらに詳細な説明は、態様を参照することによって与えられ、態様のうちのいくつかを添付した図面中で図示している。しかしながら、添付した図面は、本開示のある典型的な態様のみを図示しており、したがって、その範囲を限定していると見なされるべきものではないことに留意すべきである。説明は、他の等しく効果的な態様を許容するためである。  
【図１】［００１４］  図１は、複数のワイヤレスネットワークが、オーバーラップするカバレッジを有する、例示的な配備を図示している。
【図２】［００１５］  図２は、ユーザ機器（ＵＥ）と他のネットワークエンティティとのブロックダイヤグラムを図示している。
【図３】［００１６］  図３は、本開示のある態様にしたがった、終端する別々のＥＰＳベアラを使用するアグリゲーションに対する、ワイヤレスローカルエリアネットワーク（ＷＬＡＮ）用の例示的なアーキテクチャを図示している。
【図４】［００１７］  図４は、本開示のある態様にしたがった、例示的なユーザプレーンを図示している。
【図５】［００１８］  図５は、本開示のある態様にしたがった、ＣＮで終端する別々のＥＰＳベアラを使用するＷＬＡＮインターワーキング用の例示的なアーキテクチャを図示している。
【図６】［００１９］  図６は、本開示のある態様にしたがった、別々のＥＰＳベアラを使用する非シームレスモビリティ用の例示的な参照のアーキテクチャを図示している。
【図７】［００２０］  図７は、本開示のある態様にしたがった、例示的なイーサネット（登録商標）メディアアクセス制御（ＭＡＣ）フレームを図示している。
【図８】［００２１］  図８は、本開示のある態様にしたがった、ヘッダを含む例示的なイーサネットＭＡＣフレームを図示している。
【図９】［００２２］  図９は、本開示のある態様にしたがった、ＷＬＡＮを有する例示的なユーザプレーンを図示している。
【図１０】［００２３］  図１０は、本開示のある態様にしたがった、無線リソース制御（ＲＲＣ）を通した、例示的なｅＮＢからＷＬＡＮ  ＡＰへの関係付け手順を図示している。
【図１１】［００２４］  図１１は、本開示のある態様にしたがった、基地局（ＢＳ）による安全なワイヤレス通信のための、例示的な動作を図示している。
【図１２】［００２５］  図１２は、本開示のある態様にしたがった、ＵＥによる安全なワイヤレス通信のための、例示的な動作を図示している。
【図１３】［００２６］  図１３は、本開示のある態様にしたがった、ｅＮＢにより開始されるＲＲＣ  ＵＥ能力取り扱い手順に対する、例示的な通話フローを図示している。
【詳細な説明】
【００１４】
［００２７］
添付した図面に関連して以下で明らかにする詳細な説明は、さまざまなコンフィギュレーションの説明として意図しており、ここで説明する概念が実施されるコンフィギュレーションのみを表すように意図してはいない。詳細な説明は、さまざまな概念の完全な理解を提供するための具体的詳細を含んでいる。しかしながら、これらの具体的詳細なしでこれらの概念を実施できることは、当業者には明白となるであろう。いくつかのインスタンスにおいて、このような概念を曖昧にすることを避けるために、よく知られている構造およびコンポーネントはブロックダイヤグラムの形態で示している。
【００１５】
［００２８］
ここで説明する技術は、コード分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一搬送波ＦＤＭＡ（ＳＣ−ＦＤＭＡ）、および他のネットワークのような、さまざまなワイヤレス通信ネットワークに対して使用してもよい。用語“ネットワーク”と“システム”は互換性があるように使用することが多い。ＣＤＭＡネットワークは、ユニバーサル地上無線アクセス（ＵＴＲＡ）、ｃｄｍａ２０００などのような無線アクセス技術（ＲＡＴ）を実現してもよい。ＵＴＲＡには、ワイドバンドＣＤＭＡ（ＷＣＤＭＡ（登録商標））、および、ＣＤＭＡの他の変形が含まれる。ｃｄｍａ２０００は、ＩＳ−２０００標準規格、ＩＳ−９５標準規格、およびＩＳ−８５６標準規格をカバーしている。ＩＳ−２０００は、１ｘ無線送信技術（１ｘＲＴＴ）、ＣＤＭＡ２０００  １Ｘなどとも呼ばれる。ＴＤＭＡネットワークは、グローバルシステムフォーモバイルコミュニケーション（ＧＳＭ（登録商標））、エンハンストデータレートフォーＧＳＭエボリューション（ＥＤＧＥ）、またはＧＳＭ／ＥＤＧＥ無線アクセスネットワーク（ＧＥＲＡＮ）のようなＲＡＴを実現してもよい。ＯＦＤＭＡネットワークは、進化型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、フラッシュＯＦＤＭ．ＲＴＭなどのようなＲＡＴを実現してもよい。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、“第三世代パートナーシッププロジェクト”（３ＧＰＰ）という名の機関による文書中に記述されている。ｃｄｍａ２０００およびＵＭＢは、“第三世代パートナーシッププロジェクト２”（３ＧＰＰ２）という名の機関による文書中に記述されている。ここで説明する技術は、上述したワイヤレスネットワークおよびＲＡＴとともに、他のワイヤレスネットワークおよびＲＡＴに対して使用してもよい。
【００１６】
［００２９］
回線交換フォールバック（ＣＳＦＢ）は、ロングタームエボリューション（ＬＴＥ）ネットワーク中に移動体がキャンピングするときに、音声サービスを移動体に配信する技術である。ＬＴＥネットワークが音声サービスを本来サポートしていないときに、これは求められるかもしれない。ＬＴＥネットワークと３ＧＰＰ  ＣＳネットワーク（例えば、ＵＭＴＳまたはＧＳＭ）が、トンネルインターフェースを使用して接続されるかもしれない。トンネルインターフェースを通して３ＧＰＰ  ＣＳコアネットワークとメッセージを交換することによって、ユーザ機器（ＵＥ）は、ＬＴＥネットワーク上にある一方で、３ＧＰＰ  ＣＳネットワークに登録することができる。
【００１７】
［００３０］
図１は、複数のワイヤレスネットワークが、オーバーラップするカバレッジを有する例示的な配備を示している。進化型ユニバーサル地上無線アクセスネットワーク（Ｅ−ＵＴＲＡＮ）１２０は、ＬＴＥをサポートすることができ、ユーザ機器１１０（ＵＥ）に対してワイヤレス通信をサポートすることができる多数の進化型ノードＢ（ｅＮＢ）１２２および他のネットワークエンティティを含んでいるかもしれない。各ｅＮＢ１２２は特定の地理エリアに対する通信カバレッジを提供している。用語“セル”は、ｅＮＢ１２２のカバレッジエリア、および／または、そのカバレッジエリアを担当しているｅＮＢサブシステムのことを指すことがある。担当ゲートウェイ（Ｓ−ＧＷ）１２４は、Ｅ−ＵＴＲＡＮ１２０と通信することができ、パケットルーティングおよび転送や、モビリティアンカリングや、パケットバッファリングや、ネットワークトリガされるサービスの開始などのような、さまざまな機能を実行するかもしれない。移動性管理エンティティ（ＭＭＥ）１２６は、Ｅ−ＵＴＲＡＮ１２０および担当ゲートウェイ１２４と通信することができ、移動性管理や、ベアラ管理や、ページングメッセージの分配や、セキュリティ制御や、認証や、ゲートウェイ選択などのような、さまざまな機能を実行するかもしれない。ＬＴＥにおけるネットワークエンティティは、公に入手可能である、“進化型ユニバーサル地上無線アクセス（Ｅ−ＵＴＲＡ）および進化型ユニバーサル地上無線アクセスネットワーク（Ｅ−ＵＴＲＡＮ）１２０；全体的な説明”というタイトルの３ＧＰＰ  ＴＳ  ３６．３００中で説明されている。
【００１８】
［００３１］
無線アクセスネットワーク（ＲＡＮ）１３０はＧＳＭをサポートすることができ、ＵＥ１１０に対してワイヤレス通信をサポートすることができる多数の基地局１３２および他のネットワークエンティティを含んでいるかもしれない。移動体スイッチングセンター（ＭＳＣ）１３４は、ＲＡＮ１３０と通信することができ、音声サービスをサポートしたり、回線交換通話に対するルーティングを提供したり、ＭＳＣ１３４により担当されるエリア内に位置しているＵＥ１１０に対する移動性管理を実行したりするかもしれない。オプション的に、インターワーキング機能（ＩＷＦ）１４０は、ＭＭＥ１２６とＭＳＣ１３４との間の（例えば、１ｘＣＳＦＢに対する）通信を促進することができる。
【００１９】
［００３２］
Ｅ−ＵＴＲＡＮ１２０、担当ゲートウェイ１２４、およびＭＭＥ１２６は、ＬＴＥネットワーク１０２の一部であってもよい。ＲＡＮ１３０およびＭＳＣ１３４は、ＧＳＭネットワーク１０４の一部であってもよい。簡潔にするために、図１は、ＬＴＥネットワーク１０２およびＧＳＭネットワーク１０４中のいくつかのネットワークエンティティのみを示している。ＬＴＥネットワークおよびＧＳＭネットワークはまた、さまざまな機能およびサービスをサポートすることができる他のネットワークエンティティを備えていてもよい。
【００２０】
［００３３］
一般的に、所定の地理エリアにおいて、任意の数のワイヤレスネットワークが配備されていてもよい。各ワイヤレスネットワークは、特定のＲＡＴをサポートしているかもしれず、１つ以上の周波数上で動作するかもしれない。ＲＡＴは、無線機技術、エアインターフェースなどと呼ばれることもある。周波数は、搬送波、周波数チャネルなどと呼ばれることもある。異なるＲＡＴのワイヤレスネットワークの間の干渉を避けるために、所定の地理エリアにおいて、各周波数は単一のＲＡＴをサポートしているかもしれない。
【００２１】
［００３４］
ＵＥ１１０は、静的であっても、または移動体であってもよく、移動局、端末、アクセス端末、加入者ユニット、局などと呼ばれることもある。ＵＥ１１０は、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局などであってもよい。
【００２２】
［００３５］
電源投入の際に、ＵＥ１１０は、通信サービスを受信することができるワイヤレスネットワークに対するサーチを行うかもしれない。１つより多くのワイヤレスネットワークを検出した場合は、最高優先度を有するワイヤレスネットワークが、ＵＥ１１０を担当するように選択されて、担当ネットワークと呼ばれるかもしれない。必要であれば、ＵＥ１１０は担当ネットワークへの登録を実行する。その後、ＵＥ１１０は、接続したモードで動作し、担当ネットワークとアクティブに通信することができる。代替的に、アクティブな通信がＵＥ１１０によって求められていない場合は、ＵＥ１１０は、アイドルモードで動作し、担当ネットワーク上にキャンピングするかもしれない。
【００２３】
［００３６］
ＵＥ１１０は、アイドルモードにある間、複数の周波数および／または複数のＲＡＴのセルのカバレッジ内に位置しているかもしれない。ＬＴＥに対して、ＵＥ１１０は、優先度リストに基づいて、キャンピングする周波数およびＲＡＴを選択してもよい。この優先度リストには、１組の周波数、各周波数に関係付けられているＲＡＴ、および、各周波数の優先度が含まれているかもしれない。例えば、３つの周波数Ｘ、Ｙ、およびＺを優先度リストは含んでいるかもしれない。周波数Ｘは、ＬＴＥに対して使用することができ、最高優先度を有しており、周波数Ｙは、ＧＳＭに対して使用することができ、最低優先度を有しており、周波数Ｚは、また、ＧＳＭに対して使用することができ、中間の優先度を有しているかもしれない。一般的に、優先度リストは、任意の組のＲＡＴに対して任意の数の周波数を含むことができ、ＵＥの位置に対して特有であるかもしれない。例えば上記の例によって与えたように、ＬＴＥの周波数を最高優先度、他のＲＡＴに対する周波数をより低い優先度とするように優先度リストを規定することによって、利用可能であるときはＬＴＥを優先するようにＵＥ１１０は構成されていてもよい。
【００２４】
［００３７］
ＵＥ１１０は、以下のように、アイドルモードで動作するかもしれない。ＵＥ１１０は、通常のシナリオにおいては“適切な”セルを、または、緊急のシナリオにおいては“許容可能な”セルをＵＥ１１０が発見することができる、すべての周波数／ＲＡＴを識別するかもしれない。“適切な”と“許容可能な”は、ＬＴＥ標準規格において定められる。その後、ＵＥ１１０は、識別したすべての周波数／ＲＡＴの中の、最高優先度を有する周波数／ＲＡＴ上にキャンピングするかもしれない。（ｉ）予め定められたしきい値において、周波数／ＲＡＴがもはや利用可能でない、または、（ｉｉ）より高い優先度を有する別の周波数／ＲＡＴがこのしきい値に到達する、のいずれかまで、ＵＥ１１０はこの周波数／ＲＡＴ上にキャンピングしたままかもしれない。アイドルモードのＵＥ１１０に対するこの動作挙動は、公に入手可能である、“進化型ユニバーサル地上無線アクセス（Ｅ−ＵＴＲＡ）；アイドルモードにおけるＵＥ手順”というタイトルの３ＧＰＰ  ＴＳ  ３６．３０４中で説明されている。
【００２５】
［００３８］
ＵＥ１１０は、パケット交換（ＰＳ）データサービスをＬＴＥネットワーク１０２から受信することができ、アイドルモードにある間、ＬＴＥネットワーク上にキャンピングするかもしれない。ＬＴＥネットワーク１０２は、ボイスオーバーインターネットプロトコル（ＶｏＩＰ）に対して制限されたサポートを有しているかもしれない、または、サポートを有していないかもしれない。このことは、ＬＴＥネットワークの初期の配備に対して多いケースであるかもしれない。制限されたＶｏＩＰサポートが原因で、ＵＥ１１０は、音声通話に対しては、別のＲＡＴの別のワイヤレスネットワークに転送されるかもしれない。この転送は、回線交換（ＣＳ）フォールバックと呼ばれることもある。ＵＥ１１０は、１ｘＲＴＴ、ＷＣＤＭＡ、ＧＳＭなどのような、音声サービスをサポートすることができるＲＡＴに転送されるかもしれない。ＣＳフォールバックによる通話発信に対して、音声サービスをサポートしていないソースＲＡＴ（例えば、ＬＴＥ）のワイヤレスネットワークに、ＵＥ１１０は最初に接続される。ＵＥは、このワイヤレスネットワークにより音声通話を発信し、上位レイヤシグナリングを通して、音声通話をサポートすることができるターゲットＲＡＴの別のワイヤレスネットワークに転送されるかもしれない。ＵＥをターゲットＲＡＴに転送する上位レイヤシグナリングは、さまざまな手順、例えば、リダイレクションによる接続開放、ＰＳハンドオーバーなどのためであるかもしれない。
【００２６】
［００３９］
図２は、図１中のＵＥ１１０、ｅＮＢ１２２、およびＭＭＥ１２６の設計のブロックダイヤグラムを示している。ＵＥ１１０において、エンコーダ２１２は、アップリンク上で送られることになるトラフィックデータおよびシグナリングメッセージを受け取る。エンコーダ２１２は、トラフィックデータおよびシグナリングメッセージを処理（例えば、フォーマット、エンコード、およびインターリーブ）する。変調器（Ｍｏｄ）２１４は、エンコードされたトラフィックデータおよびシグナリングメッセージをさらに処理（例えば、シンボルマッピングおよび変調）して、出力サンプルを提供する。送信機（ＴＭＴＲ）２２２は、出力サンプルを調整（例えば、アナログに変換、フィルタリング、増幅、および周波数アップコンバート）して、アップリンク信号を発生させ、アップリンク信号は、アンテナ２２４を介してｅＮＢ１２２に送信される。
【００２７】
［００４０］
ダウンリンク上で、アンテナ２２４は、ｅＮＢ１２２および／または他のｅＮＢ１２２／基地局１３２によって送信されたダウンリンク信号を受信する。受信機（ＲＣＶＲ）２２６は、アンテナ２２４からの受信信号を調整（例えば、フィルタリング、増幅、周波数ダウンコンバート、およびデジタル化）して、入力サンプルを提供する。復調器（Ｄｅｍｏｄ）２１６は、入力サンプルを処理（例えば、復調）して、シンボル推定を提供する。デコーダ２１８は、シンボル推定を処理（例えば、デインターリーブおよびデコード）して、デコードした、ＵＥ１１０に送られたデータおよびシグナリングメッセージを提供する。エンコーダ２１２、変調器２１４、復調器２１６、およびデコーダ２１８は、モデムプロセッサ２１０によって実現されてもよい。ＵＥ１１０が通信中のワイヤレスネットワークによって使用されるＲＡＴ（例えば、ＬＴＥ、１ｘＲＴＴなど）にしたがって、これらのユニットは処理を実行する。
【００２８】
［００４１］
制御装置／プロセッサ２３０が、ＵＥ１１０における動作を指示する。制御装置／プロセッサ２３０は、ここで説明する技術に関する他のプロセスも実行または指示してもよい。制御装置／プロセッサ２３０は、図３および４におけるＵＥ１１０による処理も実行または指示してもよい。メモリ２３２は、ＵＥ１１０に対するプログラムコードおよびデータを記憶する。メモリ２３２は、優先度リストおよびコンフィギュレーション情報も記憶してもよい。
【００２９】
［００４２］
ｅＮＢ１２２において、送信機／受信機２３８は、ＵＥ１１０および他のＵＥとの無線通信をサポートする。制御装置／プロセッサ２４０は、ＵＥとの通信に対するさまざまな機能を実行する。アップリンク上では、ＵＥ１１０からのアップリンク信号が、アンテナ２３６を介して受信され、受信機２３８によって調整され、制御装置／プロセッサ２４０によってさらに処理されて、ＵＥ１１０によって送られたトラフィックデータおよびシグナリングメッセージが復元される。ダウンリンク上では、トラフィックデータおよびシグナリングメッセージが、制御装置／プロセッサ２４０により処理され、送信機２３８によって調整されて、ダウンリンク信号が発生され、ダウンリンク信号は、アンテナ２３６を介してＵＥ１１０および他のＵＥに送信される。制御装置／プロセッサ２４０は、ここで説明する技術に関する他のプロセスも実行または指示してもよい。制御装置／プロセッサ２４０は、図３および４におけるｅＮＢ１２２による処理も実行または指示してもよい。メモリ２４２は、基地局１３２に対するプログラムコードおよびデータを記憶する。通信（Ｃｏｍｍ）ユニット２４４は、ＭＭＥ１２６および／または他のネットワークエンティティとの通信をサポートする。
【００３０】
［００４３］
ＭＭＥ１２６において、制御装置／プロセッサ２５０は、ＵＥに対する通信サービスをサポートするためのさまざまな機能を実行する。制御装置／プロセッサ２５０は、図３および４におけるＭＭＥ１２６による処理も実行または指示してもよい。メモリ２５２は、ＭＭＥ１２６に対するプログラムコードおよびデータを記憶する。通信ユニット２５４は、他のネットワークエンティティとの通信をサポートする。
【００３１】
［００４４］
図２は、ＵＥ１１０、ｅＮＢ１２２、およびＭＭＥ１２６の簡略化した設計を示している。一般的に、各エンティティは任意の数の送信機、受信機、プロセッサ、制御装置、メモリ、通信ユニットなどを備えていてもよい。他のネットワークエンティティも、類似の方法で実現されてもよい。
【００３２】
異なるＲＡＮの識別子を相関させることによって、マルチＲＡＮインターワーキングを使用することを決定するための例示的な技術
［００４５］
本開示の態様は、異なるＲＡＮのＩＤを相関させることによって、ある無線アクセスネットワーク（ＲＡＮ）（例えば、ワイヤレスローカルエリアネットワーク（ＷＬＡＮ））中に登録されているユーザ機器（ＵＥ）が、別のＲＡＮ中に登録されているＵＥと同一である、という確認を可能にする技術を提供する。例えば、その技術を使用して、ＷＬＡＮネットワーク中に登録されているデバイスがＬＴＥネットワーク中に登録されているデバイスと同一であることを確認することができる。
【００３３】
［００４６］
無線アクセスネットワーク（ＲＡＮ）において終端する別々の進化型パケットシステム（ＥＰＳ）ベアラを使用するアグリゲーション。図３は、本開示のある態様にしたがった、終端する別々のＥＰＳベアラを使用するアグリゲーションに対する、ＷＬＡＮ用の例示的なアーキテクチャを図示している。図３において分かるように、ＵＥ１１０は、コアネットワーク（ＣＮ）３０２において別々のＥＰＳベアラ、例えば、ｅＮＢ１２２とＷＬＡＮ  ＡＰとを使用するかもしれない。すなわち、ＵＥ１１０を担当するｅＮＢ１２２またはＷＬＡＮ  ＡＰ３０６のいずれかによって担当されるように、既存のＥＰＳベアラは一意的にマッピングされる。
【００３４】
［００４７］
図４は、例示的なＵＥパケットデータネットワーク（ＰＤＮ）ゲートウェイ（ＵＥ−ＰＧＷ）ユーザプレーンを図示している。図４において分かるように、ＷＬＡＮに対する、ＵＥ１１０とＰＧＷ３０８との間のユーザプレーンは、ＲＡＮ１３０において終端する別々のＥＰＳベアラを使用するアグリゲーションを有している。例えば、Ｗｉ−Ｆｉ  ＡＰ上で、ＵＥ１１０はベアラを送る。ＤＬデータは、パケットデータネットワークゲートウェイ（ＰＧＷ）３０８において受信され、異なるＥＰＳベアラに分離され、ｅＮＢ１２２またはＡＰ３０６のいずれかに転送される。
【００３５】
［００４８］
ＧＴＰ（ＳａＭＯＧ）を通してのＳ２ａベースのモビリティに対しては、ＵＬデータは、ｅＮＢ１２２およびＡＰ３０６において受信され、適切なＥＰＳベアラ中でＰＧＷ４０２に転送され、Ｓ２ａトンネリングされる。Ｓ１ベアラベースのセッション継続性に対しては、ｅＮＢ１２２およびＡＰ３０６において受信されたＵＬデータは、適切なＥＰＳベアラ中でＳＧＷおよびＰＧＷ４０２に転送される（すなわち、ＡＰ３０６はＥＰＳベアラを再使用してトラフィックを転送する）。
【００３６】
［００４９］
図５は、それぞれＲｅｌ−９、Ｒｅｌ−１０およびＲｅｌ−１２中のＭＡＰＣＯＮ、ＩＦＯＭおよびＳａＭＯＧによって規定される、ＣＮ３０２において終端する別々のＥＰＳベアラを使用するＷＬＡＮインターワーキング用の例示的なアーキテクチャを図示している。図５においてわかるように、ＵＥ１１０は、（フロー５０２と示す）３ＧＰＰ接続を介するいくつかのベアラに対応するフローと、（フロー５０４と示す）Ｗｉ−Ｆｉ  ＡＰを介する他のベアラに対応するフローとを送る。簡潔にするために、Ｓ２ｂに対する、ＡＰとＰＧＷ３０８との間の、ＰＤＧの追加のアーキテクチャのエレメントは示していない。
【００３７】
［００５０］
図６は、本開示のある態様にしたがった、非シームレスモビリティ用の例示的なアーキテクチャを図示している。図６において分かるように、ｅＮＢを介して送られるトラフィックは、ＣＮ３０２において終端する別々のＰＤＮ接続およびＥＰＳベアラを使用してインターネットに向かう一方で、ＷＬＡＮを介して送られるトラフィックはインターネットに直接送られる。例えば、ｅＮＢ１２２とＷｉ−Ｆｉ  ＡＰ３０６とにおいて、ＵＥ１１０は異なるＩＰアドレスを使用するかもしれない。マルチパスＴＣＰはこのようなアグリゲーションの例である。
【００３８】
［００５１］
ある態様にしたがうと、ロングタームエボリューション（ＬＴＥ）においてＲＬＣパケットと関係付けられているＥＰＳベアラは、現在、ＬＴＥにおけるメディアアクセス制御（ＭＡＣ）ヘッダ中のみにある。したがって、ＷＬＡＮ中のベアラおよびパケットの両方のアグリゲーションに対して、ＷＬＡＮ中で１つより多いベアラが送られる場合は、ＵＥ１１０およびＡＰはＷＬＡＮ  ＭＡＣヘッダ中で、ＥＰＳベアラに対する論理チャネル識別子（ＬＣ  ＩＤ）を示す必要がある。
【００３９】
［００５２］
いくつかの実施形態において、このようなＭＡＣヘッダはイーサタイプであるかもしれない。イーサタイプは、イーサネットフレームのペイロード中にどのプロトコルがカプセル化されているかを示すのに使用される、イーサネットフレーム中の例えば２バイトフィールドであるかもしれない。イーサタイプを記述するのに使用される、イーサネットフレーム内のフィールドは、イーサネットフレームのペイロードのサイズを表すのに使用することもできる。
【００４０】
［００５３］
図７は、２バイトのイーサタイプ７０２フィールドを含む、例示的なイーサネットＭＡＣフレーム７００を図示している。８０２．１１Ｑはイーサネットフレーム中の４バイトフィールドである。８０２．１１Ｑヘッダは以下のフィールドからなる。フレームをタグ付けされていないフレームと識別するのに使用する、ＩＥＥＥ  ８０２．１Ｑにタグ付けされたフレームとしてフレームを識別するために、０ｘ８１００の値に設定されている２バイトを有する、タグプロトコル識別子（ＴＰＩＤ）；優先度（０−７）とパケットをドロップするかとを示すために、４ビットを有する、タグ制御識別子（ＴＣＩ）；フレームが属すＶＬＡＮを特定する１２ビットフィールドを有する、ＶＬＡＮ識別子（ＶＩＤ）。図８は、例示的な、８０２．１１Ｑ  ４バイトヘッダを含む代替的なイーサネットＭＡＣフレーム８００を図示している。
【００４１】
［００５４］
あるシナリオにおいて、ＲＡＮ１３０とＷＬＡＮとのインターワーキングが生じ得る場合、ＬＴＥ／ＵＭＴＳセルおよびＷＬＡＮ  ＡＰの識別を（例えば、ＬＴＥ／ＵＭＴＳセルとＷＬＡＮ  ＡＰのどの組み合わせを、ＬＴＥとＷＬＡＮとのインターワーキングに対して使用することができるかを）、ＵＥ１１０は知っている必要があるかもしれない。一方、（例えば、ＷＬＡＮおよびセルラアクセスに渡るＵＥの存在を相関させるために、）ＲＡＮ接続の各タイプにおける、ＵＥ１１０の対応する識別を、ネットワークは知っている必要があるかもしれない。例えば、ＲＡＮ１３０とＷＬＡＮとのインターワーキングを使用する異なるＵＥ間を識別するためとともに、トラフィックを正しくルーティングするために各ＵＥ１１０に対して、これが使用されるかもしれない。
【００４２】
［００５５］
本開示の態様は、ＷＬＡＮの識別子とＷＷＡＮの識別子とを相関させるのを助けて、ＷＬＡＮとＷＷＡＮとのインターワーキング能力を決定することができる技術、および、さまざまな装置を提供している。
【００４３】
［００５６］
図９は、本開示のある態様にしたがった、ＷＬＡＮを有するＵＥ−ＰＧＷユーザプレーンの例示的なアーキテクチャ９００を図示している。ＵＥ−ＰＧＷユーザプレーンは、ＲＡＮ１３０における別々のＥＰＳベアラを使用するアグリゲーションと、ＥＰＳベアラを識別する追加のレイヤとを有している。代替的な解決法において、図９において示しているように、ＥＰＳベアラを識別するために、ＷＬＡＮを通して送られる追加のヘッダを含めることによって、ＷＬＡＮ中のＬＣ  ＩＤ９０２が示される。ＬＣ  ＩＤ９０２は、ＡＰ／ｅＮＢ１２２において維持される。例えば、ＵＥ１１０およびＡＰ／ｅＮＢ１２２は、関係付けられているベアラを示すＧＲＥのような追加のヘッダを含んでいてもよい。
【００４４】
［００５７］
例として、図９において示しているように、ＷＬＡＮ中のＬＣ  ＩＤは、ＷＬＡＮ  ＭＡＣヘッダ中の既存のフィールドを使用して示されてもよい。例えば、ＵＥおよびＡＰは、ＷＬＡＮ  ＭＡＣヘッダ中のＶＬＡＮタグを使用して、関係付けられているベアラを示してもよい。
【００４５】
［００５８］
いくつかの実施形態において、ＷＬＡＮおよびＷＷＡＮ上に同一のＵＥ１１０が接続していることをネットワークは決定する。ＷＷＡＮ無線を使用する、１組の識別子によって識別されるＵＥ１１０との通信を、基地局１３２は確立する。その後、ＷＬＡＮ無線を使用する、異なる１組の識別子によって識別されるＵＥ１１０との通信を、基地局１３２は確立する。その後、２組の識別子に基づいて、ＵＥ１１０が同一のＵＥ１１０であると基地局１３２は決定する。
【００４６】
［００５９］
ＲＡＮ１３０とＷＬＡＮとのインターワーキングが利用可能であるか否かを決定するために、必要とされる２つのステップが存在する。ＬＴＥ／ＵＭＴＳとＷＬＡＮとのインターワーキングを開始すること（例えば、ＲＡＮ１３０とＷＬＡＮとのインターワーキングを開始することを、ネットワークおよびＵＥ１１０において決定すること）と、ＵＥ１１０においてＤＬトラフィックを正しく識別して、ＵＬトラフィックをＵＬ上の正しいＳ１ベアラに配置するために、ＷＬＡＮにおいてどのようにＥＰＳベアラ間を識別するかを決定することとが必要とされる。
【００４７】
［００６０］
先に着目したように、ＲＡＮ１３０とＷＬＡＮとのインターワーキングが生じ得る場合、ＲＡＮ１３０とＷＬＡＮとのインターワーキングを開始するために、ＬＴＥ／ＵＭＴＳセルおよびＷＬＡＮ  ＡＰの対応する識別を（例えば、ＬＴＥ／ＵＭＴＳセルとＷＬＡＮ  ＡＰのどの組み合わせを、ＲＡＮとＷＬＡＮとのインターワーキングに対して使用できるかを）、ＵＥ１１０は知っている必要があるかもしれない。同様に、（例えば、ＷＬＡＮおよびセルラアクセスに渡るＵＥ１１０の存在を相関させるために、）各アクセスにおける、ＵＥ１１０の対応する識別を、ネットワークは知っている必要がある。例えば、ＲＡＮ１３０とＷＬＡＮとのインターワーキングを使用する異なるＵＥ間を識別できるようにするためとともに、トラフィックを正しくルーティングするために各ＵＥ１１０に対して、これは必要であるかもしれない。
【００４８】
［００６１］
（ＩＥＥＥ４８ビットＭＡＣ  ＩＤのような、）ＷＬＡＮ中で使用されるＵＥ１１０に対する識別子は、例えばＬＴＥ中でＵＥ１１０によって使用される識別子（例えば、セル無線ネットワーク一時識別子（Ｃ−ＲＮＴＩ）またはグローバル一意一時識別子（ＧＵＴＩ））とは異なるので、能力および識別子の上記の交換が必要とされる。したがって、ＵＥ１１０は、使用するＷＬＡＮ  ＭＡＣアドレスまたは均等物をｅＮＢ１２２に送るか、あるいは、使用するＣ−ＲＮＴＩもしくはＧＵＴＩまたは均等物をＷＬＡＮ  ＡＰ３０６に送るかのいずれかを行う必要があるかもしれない。
【００４９】
［００６２］
いくつかの実施形態において、関係付けはネットワークにより開始される。ＲＡＮ１３０とＷＬＡＮとのインターワーキングをＵＥ１１０が能力としてサポートすることを、ＵＥ１１０はネットワークに示す。その後、ネットワークは、ＲＡＮ１３０とＷＬＡＮとのインターワーキング手順を開始するために、ＵＥ１１０に、対応するアクセスのセルまたはＡＰの識別子を含めて、ＬＴＥ／ＵＭＴＳまたはＷＬＡＮのアクセスのいずれかにアクセスするように示す。非アクセスストラタム（ＮＡＳ）を介して、上位レイヤシグナリングを介して、無線リソース制御（ＲＲＣ）中のアクセスの一部としてシグナリングすることによって、または、ＵＥ１１０加入情報の一部としてシグナリングすることによって、ＵＥ１１０能力が示される。上位レイヤシグナリングは、インターネットプロトコルを通して、ＵＤＰまたはＴＣＰ伝送プロトコルを使用する。代替的に、例えば、関係付け手順においてベンダ特有拡張を使用して、ＷＬＡＮ中でＵＥ１１０識別および能力をシグナリングしてもよい。
【００５０】
［００６３］
いくつかの実施形態において、ＬＴＥとＷＬＡＮとのインターワーキング能力をＵＥ１１０がサポートするとの表示は、通信を確立することの一部として提供してもよい。代替的に、ＬＴＥとＷＬＡＮとのインターワーキング能力をＵＥ１１０がサポートするという表示は、例えば、アタッチまたはトラッキングエリア更新（ＴＡＵ）手順において、ＷＷＡＮネットワークへの登録の一部として提供してもよい。
【００５１】
［００６４］
例えば、接続が確立されたときに無線リソース制御（ＲＲＣ）のようなシグナリングを介して、または、ＷＬＡＮにおいては、例えば、ベンダ特有シグナリングまたはＩＰレイヤシグナリングの一部として、ネットワークの表示は生じるかもしれない。ネットワークの表示の一部として、ＲＲＣまたはＷＬＡＮのシグナリングは、ＷＬＡＮ  ＢＳＳＩＤまたはＲＡＮセルＩＤをそれぞれＵＥに示すかもしれない。すなわち、ＲＡＮ１３０またはＷＬＡＮのアクセスは、ＲＡＮ１３０とＷＬＡＮとのインターワーキング手順が適用される、対応するＡＰまたは（ｅ）ＮＢの識別をＵＥ１１０に示す。代替的に、他のさまざまなタイプの識別子をＷＬＡＮに対して使用してもよい。
【００５２】
［００６５］
ＬＴＥに対しては、ｅＮＢセルＩＤ、トラッキングエリア、ＰＣＩ、ＣＳＧ  ＩＤ、または他のいくつかの識別子を使用して、ＷＬＡＮインターワーキングに関係付けられている対応するＬＴＥセルを決定してもよい。ＵＭＴＳに対しては、ＮＢセルＩＤ、ルーティングエリア、ＰＳＣ、ＣＳＧ  ＩＤ、または他のいくつかの識別子を使用して、ＷＬＡＮインターワーキングに関係付けられている対応するＵＭＴＳセルを決定することができる。
【００５３】
［００６６］
いくつかの実施形態において、関係付けはＵＥにより開始されるかもしれない。ネットワークが、例えば、システム情報ブロック（ＳＩＢ）またはＲＲＣ（例えば、ＬＴＥ／ＵＭＴＳ）またはプローブ応答（例えば、ＷＬＡＮ）中で、ＲＡＮ１３０とＷＬＡＮとのインターワーキングがサポートされることをアドバタイズするかもしれない。ＵＥ１１０がＲＡＮ１３０上またはＷＬＡＮ上のいずれかにアクセスするとき、ＵＥ１１０は、ＲＡＮ１３０とＷＬＡＮとのインターワーキング手順を使用するように要求するかもしれない。
【００５４】
［００６７］
ＲＡＮ１３０とＷＬＡＮとのインターワーキングがサポートされる場合、ネットワークアドバタイズは、対応するＷＬＡＮ  ＢＳＳＩＤまたはセルＩＤの能力または識別子を含んでいるかもしれない。代替的に、上述した、ＲＡＮ１３０およびＷＬＡＮに対する他の識別子のうちの１つを使用してもよい。
【００５５】
［００６８］
ＵＥ要求は、ＮＡＳを介して、上位レイヤシグナリングを介して、または、ＷＬＡＮ関係付け手順の一部として、ＲＲＣ中でＬＴＥアクセスの一部として示されてもよい。
【００５６】
［００６９］
各アクセスにおいてＵＥの対応する識別を決定することは、ＵＥによって提供されても、または、ネットワークによって提供されてもよい。いくつかの実施形態において、ＵＥがＲＲＣ中でアクセスを要求するとき、ＮＡＳを介して、または、ＷＬＡＮ関係付け手順の一部として、ＵＥ要求は、対応するアクセスにおけるＵＥの識別子を含んでいるかもしれない。例えば、ＷＬＡＮ中でのＵＥ要求は、ＬＴＥ中でＣＲＮＴＩが現在使用されていることを、または、ＵＥのＧＵＴＩを示すかもしれない。同様に、ＬＴＥ／ＵＭＴＳ中でのＵＥ要求は、ＷＬＡＮ中で使用されるＵＥの、ネットワークアクセス識別子（ＮＡＩ）またはＩＥＥＥ４８ビットＭＡＣアドレスを示すかもしれない。いずれのケースにおいても、完全性保護のようなセキュリティ手順を使用して、例えば、関係付け手順の一部としての、ＷＬＡＮ中のＥＡＰＯＬシグナリングの使用を通して、他のアクセスにおいてＵＥの識別のマッチングを確認してもよい。
【００５７】
［００７０］
いくつかの実施形態において、ＷＬＡＮにアクセスするようにネットワークがＵＥに示すとき、ネットワークは、使用および／または共有されるだろうＵＥ識別子を、バックホール接続を通してＷＬＡＮ  ＡＰに提供してもよい。例えば、アクセス手順の一部としてＷＬＡＮに提供されるだろうＵＥのＭＡＣ  ＩＤまたは他の何らかの信用証明をネットワークが知っている場合、識別をＷＬＡＮに渡すことができ、すなわち、逆に言えば、ＡＰ３０６およびｅＮＢ１２２は、ＷＬＡＮにアクセスするＵＥをＬＴＥ／ＵＭＴＳ中の対応するＵＥに、または、ＬＴＥ／ＵＭＴＳ中のＵＥをＷＬＡＮ中のＵＥにマッピングすることができる。代替的に、ＷＬＡＮは、ＬＴＥへのハンドオーバー手順の一部として使用するＣＲＮＴＩを、ＵＥに提供してもよく、これは、ＬＴＥハンドオーバーにおいて、ソースセルとターゲットセルとの間で今日ＣＲＮＴＩが提供される方法に類似している。
【００５８】
［００７１］
ＷＬＡＮ中に含まれるＬＣ  ＩＤとＥＰＳ中の対応するＬＣ  ＩＤとの間のマッピングは、動的または固定のマッピングを使用して決定することができる。動的なマッピングに対しては、ＵＥがＷＬＡＮに接続するときか、または、ｅＮＢ１２２によって送られ、ＷＬＡＮ３０６に向かうＲＲＣコマンド中かのいずれかで、対応するＬＣ  ＩＤ  ＷＬＡＮからＥＰＳベアラへのマッピングが交渉されてもよい。固定のマッピングに対しては、固定のマッピングは、ＥＰＳと同一のＬＣ  ＩＤをＷＬＡＮにおいて使用してもよい。
【００５９】
［００７２］
いくつかの実施形態において、ネットワークは、ＬＴＥとＷＬＡＮとのインターワーキングをＵＥがサポートするとの表示を受信することに応答して、通信を確立するようにＵＥに命令するかもしれない。いくつかの実施形態において、表示は、どこで通信を確立するか、すなわち、ＷＬＡＮ中で確立するか、または、ＷＷＡＮ中で確立するかを識別する、識別子であるかもしれない。
【００６０】
［００７３］
いくつかの実施形態において、ＬＴＥとＷＬＡＮとのインターワーキングをネットワークがサポートするとの表示は、例えば、ＲＲＣ、ＳＩＢまたはプローブ応答、ＷＬＡＮ搬送波セットアップ要求メッセージ、あるいは、関係付け応答中で提供してもよい。いくつかの実施形態において、ＬＴＥとＷＬＡＮとのインターワーキングを確立する要求を、ＷＬＡＮまたはＷＷＡＮとの通信を確立することの一部として送ってもよい。
【００６１】
［００７４］
図１０は、本開示のある態様にしたがった、ＲＲＣを通したｅＮＢ１２２からＷＬＡＮ  ＡＰ３０６への関係付け手順に対する、ナンバリングしたステップのシーケンスを有する例示的な通話フロー１０００を図示している。
【００６２】
［００７５］
図示しているように、いくつかの実施形態において、ＵＥ１１０は、ＲＡＮ１３０を通してＲＲＣを使用して、測定報告メッセージを送る（ステップ１）。測定報告に基づいて、ｅＮＢ１２２は、ＬＴＥとＷＬＡＮ３０６とのインターワーキング手順を開始することを決定する。代替的に、ステップ４においてＵＥが認証要求を送ることや、または、ＩＥＥＥ  ８０２．１１ｋのように、ＷＬＡＮ測定を介してＷＬＡＮ品質をＵＥが報告することのような、ＬＴＥとＷＬＡＮとのインターワーキング手順を開始するのに使用できる任意の数のトリガが存在する。
【００６３】
［００７６］
ｅＮＢ１２２は、ＲＲＣ接続再構成メッセージをＵＥに送る（ステップ３）。１つの実施形態において、オフロードされるＤＲＢのリストをメッセージは含んでいる（ステップ２）。ＤＲＢのリストは、ＤＲＢに対してＷＬＡＮ上でＵＥによって使用される対応する識別子を含んでいてもよい。例えば、ＵＥが、ＶＬＡＮ  ＩＤまたはＧＲＥトンネルを使用して、ベアラトラフィックを送る場合は、各オフロードされるベアラに対する、対応するＶＬＡＮ  ＩＤまたはＧＲＥキーを、ＤＲＢのリストは含んでいてもよい。
【００６４】
［００７７］
ステップ４において、ＵＥは、ＷＬＡＮ  ＡＰとの認証を実行する。ステップ５の後の追加の認証手順は示していないが、さまざまなサポートされるＷＬＡＮセキュリティメカニズムのうちの任意のものを再使用してもよいことに留意されたい。
【００６５】
［００７８］
認証の成功の後、ステップ５において、ＵＥはＷＬＡＮ  ＡＰに関係付けられる。関係付け手順の一部として、ＬＴＥ中の、ＵＥの対応する識別をＵＥは含んでいる。同様に、関係付け手順は、ＷＬＡＮを通して送られているＥＰＳベアラの対応する識別子における交渉を含んでいる。例えば、ＶＬＡＮ  ＩＤまたはＧＲＥキーが各ＬＣ  ＩＤに対応するような、ＷＬＡＮ中で使用される対応する識別子へのＬＣ  ＩＤのマッピング。
【００６６】
［００７９］
ステップ６において、ＵＥは、ＲＲＣ接続再構成完了メッセージをｅＮＢ１２２に送り、関係付けが成功したことを示す。
【００６７】
［００８０］
ステップ７ａにおいて、非シームレスＷＬＡＮオフロード（ＮＳＷＯ）に対して、ＩＰアドレスを受信するために、ＩＥＴＦ  ＲＦＣ  ２１３１  ［１１］にしたがってＤＨＣＰｖ４要求を、あるいは、ＩＥＴＦ  ＲＦＣ  ３３１５  ［１２］にしたがってＤＨＣＰｖ６要求を、ＵＥはＷＬＡＮ  ＡＰに送る。ステップ７ｂにおいて、ＷＬＡＮ  ＡＰは、ローカルネットワークにおいて使用するＩＰアドレスを含むＤＨＣＰ肯定応答により応答する。ＵＥは、ＷＬＡＮ  ＭＡＣアドレスおよびＬＴＥ  ＩＰアドレスを報告する。ＷＬＡＮ  ＭＡＣアドレスのマッチングを介して認識されるように、ネットワークは同一のＩＰコンフィギュレーションをＷＬＡＮインターフェースに割り当てる。
【００６８】
［００８１］
ステップ８ａにおいて、ＩＰｖ６に対して、ルータ要請メッセージを送ることによって、ＵＥはルータ発見を実行する。ステップ８ｂにおいて、ＷＬＡＮ  ＡＰはルータ要請メッセージにより返答する。その後、ＮＳＷＯ  ＩＰアドレスを使用して、ＵＥはデータを送る。
【００６９】
［００８２］
いくつかの実施形態において、ＷＬＡＮ  ＡＰは、ターゲット識別子として、すなわち、特定のＷＬＡＮ  ＡＰまたはＷＬＡＮ  ＡＰのグループに対応するとして識別してもよいし、ターゲット周波数として、すなわち、特定のＷＬＡＮチャネルまたはＷＬＡＮ帯域に対応するとして識別してもよい。ターゲット識別子は、これらに限定されはしないが：例えば、同じ位置に配置するＷＬＡＮ  ＡＰ３０６とｅＮＢ１２２のケースにおいて、特定のＷＬＡＮ  ＡＰをサーチするための、ＢＳＳＩＤ（ＢＳＳＩＤは個々のＡＰを識別するのに使用される一方で、他の測定ターゲットはＥＳＳを識別するのに使用されることに留意されたい）；ＷＬＡＮサービスプロバイダ（ＳＰ）を表す特定のＳＳＩＤをサーチするための、ＳＳＩＤ；ビーコンまたはプローブ応答の一部としてインターワーキングＩＥ（８０２．１１ｕ）中に含まれている特定のホットスポットＳＰをサーチするための、ＨＥＳＳＩＤ（ＨＥＳＳＩＤは、ＳＳＩＤベースのサーチよりも制御されるが、ＷＬＡＮにおけるホットスポットのサポートを仮定することに留意されたい）；および、特定のＰＬＭＮ（８０２．１１ｕ）をサーチするための、３ＧＰＰセルラネットワーク情報であってもよい。ターゲット周波数は、これらに限定されはしないが、動作クラスおよびチャネル番号であってもよい。
【００７０】
［００８３］
図１１は、本開示のある態様にしたがった、ＷＬＡＮとＷＷＡＮとの両方において登録されているＵＥの識別を確認する、例示的な動作１１００を図示している。動作は、例えば、いずれかのネットワークの基地局（ＢＳ）１３２（例えば、ＷＬＡＮ  ＡＰ３０６またはＬＴＥ  ｅＮＢ１２２）によって実行されてもよい。
【００７１】
［００８４］
１１０２において、基地局１３２は、第１のＵＥとの通信を確立し、ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別される。１１０４において、基地局１３２は、第１の組および第２の組の識別子に基づいて、ＷＷＡＮおよびＷＬＡＮに接続されているＵＥが第１のＵＥであると決定する。
【００７２】
［００８５］
図１２は、本開示のある態様にしたがった、安全なワイヤレス通信のための例示的な動作１２００を図示している。動作は、例えばＵＥによって実行されてもよい。動作１２００は、１２０２において、ワイドエリアワイヤレスネットワーク（ＷＷＡＮ）およびワイドローカルエリアネットワーク（ＷＬＡＮ）との通信を確立することによって始まり、ＵＥは、ＷＷＡＮ中の第１の組の１つ以上の識別子によって、および、ＷＬＡＮ中の第２の組の１つ以上の識別子によって識別される。１２０４において、ＵＥは、ＷＷＡＮまたはＷＬＡＮのうちの最初の一方との通信を確立するときに、ＷＷＡＮまたはＷＬＡＮのうちの他の一方がＵＥを識別できるようにする１組の識別子を提供する。
【００７３】
［００８６］
上記で議論したように、ｅＮＢ１２２は、ＵＥとの関係付けを確立する間に、ＷＷＡＮとＷＬＡＮとのインターワーキング能力がサポートされることを決定するかもしれない。これは、ＲＡＮ１３０またはＣＮ３０２においてかもしれない。いくつかの実施形態において、決定は、ＷＷＡＮへの登録の間に提供されるかもしれない。いくつかの実施形態において、ＷＬＡＮとＷＷＡＮとのインターワーキングが能力としてサポートされることをｅＮＢ１２２が決定する場合、ｅＮＢ１２２はＵＥに対して、ＷＷＡＮおよびＷＬＡＮと関係付けをするようにＵＥに指示する表示を送るかもしれない。いくつかの実施形態において、ＲＲＣシグナリング、ＳＩＢ、プローブ応答、または関係付け応答を介して、表示は送られてもよい。ＲＲＣ  ＷＬＡＮインターワーキング接続セットアップ手順は、ｅＮＢ１２２が、ＵＥの対応するＷＬＡＮ  ＭＡＣ  ＩＤと、ＵＥによってサポートされるインターワーキングのタイプとを決定できるようにする。
【００７４】
［００８７］
いくつかの実施形態において、ＵＥは、ＵＥ能力手順の一部として、ＵＥのＷＬＡＮ  ＭＡＣアドレスを提供して、ＬＴＥ  ＵＥおよびＷＬＡＮ  ＳＴＡマッピングをｅＮＢ１２２において構成してもよい。能力の一部として、ＵＥは、ＣＮ３０２において、または、ＲＡＮ１３０中でのような、異なるタイプのＷＬＡＮとＬＴＥとのインターワーキングのＵＥのサポートも示すかもしれない。
【００７５】
［００８８］
図１３は、本開示のある態様にしたがった、ｅＮＢ１２２により開始される無線リソース制御（ＲＲＣ）ＵＥ能力取り扱い手順に対する、例示的な通話フロー１３００を図示している。図１３は、ＬＴＥとＷＬＡＮ  ＲＡＮとのインターワーキングを可能にするＲＲＣ手順を示している。
【００７６】
［００８９］
図１３において分かるように、ｅＮＢ１２２は、ＲＲＣ：ＵＥ能力問い合わせメッセージをＵＥに転送する。いくつかの実施形態において、ＵＥ能力問い合わせメッセージは、追加のＲＡＴタイプとしてＷＬＡＮ能力を含める要求を示す。ＵＥ能力問い合わせメッセージを受信することに応答して、ＵＥはＵＥ能力情報メッセージにより応答する。例示的な実施形態において、ＵＥ能力情報メッセージは、ＷＬＡＮに設定されたＲＡＴタイプを有するＵＥ能力ＲＡＴコンテナ内に、ＷＬＡＮに対するＵＥ無線アクセス能力を含んでいる。
【００７７】
［００９０］
（例えば、ＴＳ  ３６．３００中の）ある標準規格にしたがうと、Ｓ１−ＡＰ：ＵＥ能力情報表示メッセージにおいてｅＮＢ１２２によって転送されるＵＥ無線能力を、ＭＭＥ１２６は記憶する。例えば、ハンドオーバー完了の後に、ｅＮＢ１２２はＵＥ能力を取得する。ＵＥが接続を確立するとき、ｅＮＢ１２２に送られるＳ１−ＡＰ：初期状況セットアップ要求メッセージの一部として、ＭＭＥ１２６は、最後に受信したＵＥ能力を含めてもよい。ハンドオーバー準備の間、中断を最小化するために、ＵＥのソースＲＡＴ能力およびターゲットＲＡＴ能力を、ソースＲＡＮノードがターゲットＲＡＮノードに転送してもよい。ＴＳ  ３６．３００中では、可能なＲＡＴタイプには、ＥＵＴＲＡＮ、ＵＴＲＡＮ、ＧＥＲＡＮ−ＰＳ、ＧＥＲＡＮ−ＣＳ、ＣＤＭＡ２００−１ＸＲＴＴが含まれる。
【００７８】
［００９１］
１つの提案する変更例においては、ＲＡＴタイプ情報エレメントは、ＷＬＡＮ能力を含むように更新されてもよい。ＷＬＡＮ  ＲＡＴタイプ情報エレメントを使用して、ＵＥ  ＷＬＡＮ無線アクセス能力パラメータをネットワークに伝えてもよい。いくつかの実施形態においては、ＣＮ  ＬＴＥとＷＬＡＮとのインターワーキングをＵＥがサポートする場合には、ＣＮインターワーキングに対するＵＥ−ＷＬＡＮ能力フィールド記述を“サポートされている”に設定してもよい。ＲＡＮ  ＬＴＥとＷＬＡＮとのインターワーキングをＵＥがサポートする場合には、ＲＡＮインターワーキングに対するフィールド記述を“サポートされている”に設定してもよい。
【００７９】
［００９２］
電気通信システムのいくつかの態様を、ＷＬＡＮおよびＬＴＥシステムを参照してここで提示してきた。当業者が容易に認識するように、本開示を通して説明したさまざまな態様は、他の電気通信システム、ネットワークアーキテクチャ、および通信標準規格に拡張してもよい。例として、さまざまな態様は、Ｗ−ＣＤＭＡ（登録商標）、高速ダウンリンクパケットアクセス（ＨＳＤＰＡ）、高速アップリンクパケットアクセス（ＨＳＵＰＡ）、高速パケットアクセスプラス（ＨＳＰＡ＋）、およびＴＤ−ＣＤＭＡのような、他のＵＭＴＳシステムに拡張してもよい。さまざまな態様は、また、（ＦＤＤ、ＴＤＤ、または両方のモードにおける）ロングタームエボリューション（ＬＴＥ）、（ＦＤＤ、ＴＤＤ、または両方のモードにおける）ＬＴＥアドバンスト（ＬＴＥ−Ａ）、ＣＤＭＡ２０００、エボリューションデータ最適化（ＥＶ−ＤＯ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ（登録商標））、ＩＥＥＥ  ８０２．２０、ウルトラワイドバンド（ＵＷＢ）、ブルートゥース（登録商標）、および／または他の適切なシステムを用いる、システムに拡張してもよい。用いられる実際の電気通信標準規格、ネットワークアーキテクチャ、および／または通信標準規格は、特定のアプリケーションと、システムに課される全体的な設計の制約とに依存する。
【００８０】
［００９３］
さまざまな装置および方法に関連して、いくつかのプロセッサを説明してきた。これらのプロセッサは、電子ハードウェア、コンピュータソフトウェア、または、これらの任意の組み合わせたものを使用して実現してもよい。このようなプロセッサがハードウェアとして実現されるか、または、ソフトウェアとして実現されるかは、特定のアプリケーションと、システムに課される全体的な設計の制約とに依存する。例として、本開示で提示した、プロセッサ、プロセッサの任意の部分、または、プロセッサの任意の組み合わせたものは、マイクロプロセッサ、マイクロ制御装置、デジタル信号プロセッサ（ＤＳＰ）、フィールドプログラム可能ゲートアレイ（ＦＰＧＡ）、プログラム可能論理デバイス（ＰＬＤ）、状態機械、ゲート論理、ディスクリートハードウェア回路、および、本開示を通して説明したさまざまな機能を実行するように構成されている他の適切な処理コンポーネントにより実現してもよい。本開示で提示したプロセッサ、プロセッサの任意の部分、または、プロセッサの任意の組み合わせたもの、の機能性は、マイクロプロセッサ、マイクロ制御装置、ＤＳＰ、または他の適切なプラットフォーム、によって実行されているソフトウェアにより実現してもよい。
【００８１】
［００９４］
ソフトウェアは、ソフトウェア、ファームウェア、ミドルウェア、マイクロコード、ハードウェア記述言語、または、これら以外で呼ばれていようと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、機能などを意味すると広く解釈されるものである。ソフトウェアは、コンピュータ読み取り可能媒体上に存在してもよい。コンピュータ読み取り可能媒体には、例として、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラム可能ＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、または、リムーバルディスクのような、メモリが含まれる。本開示を通して提示したさまざまな態様においてはメモリをプロセッサと別個に示したが、メモリはプロセッサの内部にあってもよい（例えば、キャッシュまたはレジスタ）。
【００８２】
［００９５］
コンピュータ読み取り可能媒体は、コンピュータプログラムプロダクト中で具現化してもよい。例として、コンピュータプログラムプロダクトは、パッケージングマテリアル中にコンピュータ読み取り可能媒体を備えていてもよい。特定のアプリケーションと、全体のシステムに課される全体的な設計の制約とに依存して、本開示を通して提示して説明した機能性を実現する最良の方法を、当業者は認識するだろう。
【００８３】
［００９６］
開示した方法におけるステップの特定の順序または階層が例示的なプロセスの実例であることは理解されるべきである。設計の基本設定に基づいて、方法におけるステップの特定の順序または階層を再構成できることが理解される。付随する方法の特許請求の範囲は、さまざまなステップのエレメントをサンプルの順序で提示しており、そこで特に規定していない限り、提示する特定の順序または階層に限定されることを意味してはいない。
【００８４】
［００９７］
先述の説明は、当業者が、ここで説明したさまざまな態様を実施できるように提供している。これらの態様に対するさまざまな修正が当業者には容易に明白となろう。ここで規定した一般的な原理は他の態様に適用してもよい。したがって、特許請求の範囲は、ここで示した態様に限定されることを意図してはおらず、特許請求の範囲の文言と一貫する完全な範囲が与えられるべきである。単数でのエレメントの参照は、特にそのように述べていない限りは“１つ、および、１つのみ”を意味すると意図してはおらず、むしろ“１つ以上”を意味すると意図している。そうではないと特に述べていない限りは、用語“いくつか”は１つ以上のことを指している。アイテムのリスト“のうちの少なくとも１つ”と言及しているフレーズは、単一のメンバを含む、それらのアイテムの任意の組み合わせを指している。例として、“ａ、ｂ、またはｃ、のうちの少なくとも１つ”は、ａ、ｂ、ｃ、ａとｂ、ａとｃ、ｂとｃ、および、ａとｂとｃをカバーすることを意図している。当業者に知られている、または、後に知られることになる、本開示を通して説明したさまざまな態様のエレメントに対するすべての構造的および機能的な均等物は、参照によって明示的にここに組み込まれており、特許請求の範囲によって含まれていることを意図している。さらに、ここでの開示は、そのような開示が特許請求の範囲に明示的に規定されているか否かにかかわらず、公共に捧げられることを意図していない。特許請求の範囲のエレメントは、明示的にフレーズ“ための手段”を使用してエレメントが規定されていない限りは、または、方法の特許請求の範囲のケースにおいては、フレーズ“ためのステップ”を使用してエレメントが規定されていない限りは、米国特許法第１１２条第６パラグラフの規定の下に解釈されるべきではない。
以下に、本願出願の当初の特許請求の範囲に記載された発明を付記する。
［１］第１の基地局による安全なワイヤレス通信のための方法において、
第１のユーザ機器（ＵＥ）との通信を確立し、前記ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別されることと、
前記第１の組および第２の組の識別子に基づいて、前記ＷＷＡＮおよび前記ＷＬＡＮに接続されているＵＥが前記第１のＵＥであると決定することとを含む方法。
［２］ロングタームエボリューション（ＬＴＥ）インターネットプロトコル（ＩＰ）アドレスとＷＬＡＮメディアアクセス制御（ＭＡＣ）アドレスとを、前記ＵＥから受信することをさらに含む［１］記載の方法。
［３］前記ＷＬＡＮ  ＭＡＣアドレスの検出したマッチングに基づいて、前記ＷＷＡＮに対するものと同一の、前記ＷＬＡＮに対するＩＰコンフィギュレーションを、前記ＵＥに割り当てることをさらに含む［２］記載の方法。
［４］前記第１の組の識別子は、セル無線ネットワーク一時識別子（Ｃ−ＲＮＴＩ）またはグローバル一意一時識別子（ＧＵＴＩ）のうちの少なくとも１つを含み、
前記第２の組の識別子は、ネットワークアクセス識別子（ＮＡＩ）またはメディアアクセス制御（ＭＡＣ）アドレスのうちの少なくとも１つを含む［１］記載の方法。
［５］前記決定することは、前記第１の組の識別子からの識別子を、前記第２の組の識別子からの識別子と比較することを含む［１］記載の方法。
［６］前記第２の組の識別子からの識別子は、前記ＷＷＡＮとの通信を確立することの一部として、前記第１のＵＥによって提供される［５］記載の方法。
［７］前記第１または第２の識別子のうちの少なくとも１つは、前記ＷＬＡＮまたは前記ＷＷＡＮとの通信を確立することの一部として、前記ＵＥによって提供される［５］記載の方法。
［８］前記比較において使用される、前記第１または第２の識別子のうちの少なくとも１つは、前記ＷＬＡＮの基地局と前記ＷＷＡＮの基地局との間のバックホール接続を通して共有される［５］記載の方法。
［９］前記ＷＷＡＮに対する前記第１の組の識別子は、前記ＷＬＡＮに対する前記第２の組の識別子からの少なくとも１つの識別子を含む［１］記載の方法。
［１０］前記第１の組の識別子は、無線リソース制御（ＲＲＣ）シグナリングまたは非アクセスストラタム（ＮＡＳ）シグナリングのうちの１つ以上を介して前記ＵＥによって提供された、前記第２の組の識別子のうちの１つの識別子を含む［９］記載の方法。
［１１］ＷＷＡＮとＷＬＡＮとのインターワーキングを、前記ＵＥが能力としてサポートすると決定することをさらに含む［１］記載の方法。
［１２］前記決定は、前記ＷＬＡＮまたは前記ＷＷＡＮ上での前記ＵＥとの通信を前記確立することの一部として、能力として提供される［１１］記載の方法。
［１３］前記決定は、前記ＷＷＡＮへの登録の一部として、能力として提供される［１１］記載の方法。
［１４］前記ＷＷＡＮとＷＬＡＮとのインターワーキングは、無線アクセスネットワーク（ＲＡＮ）またはコアネットワーク（ＣＮ）のうちの少なくとも１つをＷＷＡＮとＷＬＡＮとがインターワーキングすることを含む［１１］記載の方法。
［１５］前記決定に応答して、前記ＷＷＡＮまたは前記ＷＬＡＮのうちの一方を介して、前記ＷＷＡＮまたは前記ＷＬＡＮのうちの他の一方との通信を確立するように前記ＵＥに指示することをさらに含む［１１］記載の方法。
［１６］前記指示することは、前記通信をどこで確立すべきかの識別子を、前記ＵＥに提供することを含む［１５］記載の方法。
［１７］ＷＷＡＮとＷＬＡＮとのインターワーキングを、前記ＷＷＡＮネットワークと前記ＷＬＡＮネットワークとが能力としてサポートすると、前記ＵＥに示すことをさらに含む［１１］記載の方法。
［１８］前記表示は、無線リソース制御（ＲＲＣ）シグナリング、システム情報ブロック（ＳＩＢ）、プローブ応答、または、関係付け応答、のうちの少なくとも１つを介して提供される［１７］記載の方法。
［１９］前記ＷＷＡＮまたは前記ＷＬＡＮとの通信を前記確立することの一部として、ＷＷＡＮとＷＬＡＮとのインターワーキングを確立するように、前記ＵＥに示すことをさらに含む［１７］記載の方法。
［２０］ＵＥによる安全なワイヤレス通信のための方法において、
ワイドエリアワイヤレスネットワーク（ＷＷＡＮ）およびワイドローカルエリアネットワーク（ＷＬＡＮ）との通信を確立し、前記ＵＥは、前記ＷＷＡＮ中の第１の組の１つ以上の識別子によって、および、前記ＷＬＡＮ中の第２の組の１つ以上の識別子によって識別されることと、
前記ＷＷＡＮまたは前記ＷＬＡＮのうちの最初の一方との通信を確立するときに、前記ＷＷＡＮまたは前記ＷＬＡＮのうちの他の一方が前記ＵＥを識別できるようにする１組の識別子を提供することとを含む方法。
［２１］前記第１の組の識別子は、セル無線ネットワーク一時識別子（Ｃ−ＲＮＴＩ）またはグローバル一意一時識別子（ＧＵＴＩ）のうちの少なくとも１つを含み、
前記第２の組の識別子は、ネットワークアクセス識別子（ＮＡＩ）またはメディアアクセス制御（ＭＡＣ）アドレスのうちの少なくとも１つを含む［２０］記載の方法。
［２２］前記ＷＷＡＮまたは前記ＷＬＡＮのうちの他の一方が前記ＵＥを識別できるようにする１組の識別子を提供することは、ロングタームエボリューション（ＬＴＥ）インターネットプロトコル（ＩＰ）アドレスとＷＬＡＮメディアアクセス制御（ＭＡＣ）アドレスとを提供することを含む［２０］記載の方法。
［２３］前記ＷＷＡＮに対するものと同一の、前記ＷＬＡＮに対するＩＰコンフィギュレーションを受信することをさらに含む［２２］記載の方法。
［２４］前記決定することは、前記第１の組の識別子からの識別子を、前記第２の組の識別子からの識別子と比較することを含む［２０］記載の方法。
［２５］前記第２の組の識別子からの識別子は、前記ＷＷＡＮとの通信を確立することの一部として、前記第１のＵＥによって提供される［２４］記載の方法。
［２６］前記第１または第２の識別子のうちの少なくとも１つは、前記ＷＬＡＮまたは前記ＷＷＡＮとの通信を確立することの一部として、前記ＵＥによって提供される［２４］記載の方法。
［２７］前記比較において使用される、前記第１または第２の識別子のうちの少なくとも１つは、前記ＷＬＡＮの基地局と前記ＷＷＡＮの基地局との間のバックホール接続を通して共有される［２４］記載の方法。
［２８］前記ＷＷＡＮに対する前記第１の組の識別子は、前記ＷＬＡＮに対する前記第２の組の識別子からの少なくとも１つの識別子を含む［２２］記載の方法。
［２９］前記第１の組の識別子は、無線リソース制御（ＲＲＣ）シグナリングを介して前記ＵＥによって提供された、前記第２の組の識別子のうちの１つの識別子を含む［２８］記載の方法。
［３０］ＷＷＡＮとＷＬＡＮとのインターワーキングを、前記ＵＥが能力としてサポートすると決定することをさらに含む［２２］記載の方法。
［３１］前記決定は、前記ＷＬＡＮまたは前記ＷＷＡＮ上での前記ＵＥとの通信を前記確立することの一部として、能力として提供される［３０］記載の方法。
［３２］前記決定は、前記ＷＷＡＮへの登録の一部として、能力として提供される［３０］記載の方法。
［３３］前記ＷＷＡＮとＷＬＡＮとのインターワーキングは、無線アクセスネットワーク（ＲＡＮ）またはコアネットワーク（ＣＮ）のうちの少なくとも１つをＷＷＡＮとＷＬＡＮとがインターワーキングすることを含む［３０］記載の方法。
［３４］前記決定に応答して、前記ＷＷＡＮまたは前記ＷＬＡＮのうちの一方を介して、前記ＷＷＡＮまたは前記ＷＬＡＮのうちの他の一方との通信を確立するように指示されることをさらに含む［３０］記載の方法。
［３５］前記指示は、前記通信をどこで確立すべきかの識別子を受信することを含む［３４］記載の方法。
［３６］ＷＷＡＮとＷＬＡＮとのインターワーキングを、前記ＷＷＡＮネットワークと前記ＷＬＡＮネットワークとが能力としてサポートするとの表示を受信することをさらに含む［３０］記載の方法。
［３７］前記表示は、無線リソース制御（ＲＲＣ）シグナリング、システム情報ブロック（ＳＩＢ）、プローブ応答、または、関係付け応答、のうちの少なくとも１つを介して提供される［３６］記載の方法。
［３８］前記ＷＷＡＮまたは前記ＷＬＡＮとの通信を前記確立することの一部として、ＷＷＡＮとＷＬＡＮとのインターワーキングを確立する指示を、受信することをさらに含む［３６］記載の方法。
［３９］第１の基地局による安全なワイヤレス通信のための装置において、
第１のＵＥとの通信を確立し、前記ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別される手段と、
前記第１の組および第２の組の識別子に基づいて、前記ＷＷＡＮおよび前記ＷＬＡＮに接続されているＵＥが前記第１のＵＥであると決定する手段とを具備する装置。
［４０］ロングタームエボリューション（ＬＴＥ）インターネットプロトコル（ＩＰ）アドレスとＷＬＡＮメディアアクセス制御（ＭＡＣ）アドレスとを、前記ＵＥから受信する手段をさらに具備する［３９］記載の装置。
［４１］前記ＷＬＡＮ  ＭＡＣアドレスの検出したマッチングに基づいて、前記ＷＷＡＮに対するものと同一の、前記ＷＬＡＮに対するＩＰコンフィギュレーションを、前記ＵＥに割り当てる手段をさらに具備する［４０］記載の装置。
［４２］前記第１の組の識別子は、セル無線ネットワーク一時識別子（Ｃ−ＲＮＴＩ）またはグローバル一意一時識別子（ＧＵＴＩ）のうちの少なくとも１つを含み、
前記第２の組の識別子は、ネットワークアクセス識別子（ＮＡＩ）またはメディアアクセス制御（ＭＡＣ）アドレスのうちの少なくとも１つを含む［３９］記載の装置。
［４３］前記決定する手段は、前記第１の組の識別子からの識別子を、前記第２の組の識別子からの識別子と比較する手段を備える［３９］記載の装置。
［４４］ＷＷＡＮとＷＬＡＮとのインターワーキングを、前記ＵＥが能力としてサポートすると決定する手段をさらに具備する［３９］記載の装置。
［４５］前記決定に応答して、前記ＷＷＡＮまたは前記ＷＬＡＮのうちの一方を介して、前記ＷＷＡＮまたは前記ＷＬＡＮのうちの他の一方との通信を確立するように前記ＵＥに指示する手段をさらに具備する［４４］記載の装置。
［４６］第１の基地局による安全なワイヤレス通信のための装置において、
第１のＵＥとの通信を確立し、前記ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別されるようにと、
前記第１の組および第２の組の識別子に基づいて、前記ＷＷＡＮおよび前記ＷＬＡＮに接続されているＵＥが前記第１のＵＥであると決定するように構成されている少なくとも１つのプロセッサと、
前記少なくとも１つのプロセッサに結合されているメモリとを具備する装置。
［４７］その上に記憶されている命令を有するコンピュータ読み取り可能媒体を具備する、第１の基地局による安全なワイヤレス通信のためのコンピュータプログラムプロダクトにおいて、
前記命令は、
第１のＵＥとの通信を確立し、前記ＵＥは、ワイドエリアワイヤレスネットワーク（ＷＷＡＮ）中の第１の組の１つ以上の識別子によって、および、ワイドローカルエリアネットワーク（ＷＬＡＮ）中の第２の組の１つ以上の識別子によって識別されることと、
前記第１の組および第２の組の識別子に基づいて、前記ＷＷＡＮおよび前記ＷＬＡＮに接続されているＵＥが前記第１のＵＥであると決定することとのために、１つ以上のプロセッサによって実行可能であるコンピュータプログラムプロダクト。
［４８］ＵＥによる安全なワイヤレス通信のための装置において、
ワイドエリアワイヤレスネットワーク（ＷＷＡＮ）およびワイドローカルエリアネットワーク（ＷＬＡＮ）との通信を確立し、前記ＵＥは、前記ＷＷＡＮ中の第１の組の１つ以上の識別子によって、および、前記ＷＬＡＮ中の第２の組の１つ以上の識別子によって識別される手段と、
前記ＷＷＡＮまたは前記ＷＬＡＮのうちの最初の一方との通信を確立するときに、前記ＷＷＡＮまたは前記ＷＬＡＮのうちの他の一方が前記ＵＥを識別できるようにする１組の識別子を提供する手段とを具備する装置。
［４９］前記第１の組の識別子は、セル無線ネットワーク一時識別子（Ｃ−ＲＮＴＩ）またはグローバル一意一時識別子（ＧＵＴＩ）のうちの少なくとも１つを含み、
前記第２の組の識別子は、ネットワークアクセス識別子（ＮＡＩ）またはメディアアクセス制御（ＭＡＣ）アドレスのうちの少なくとも１つを含む［４８］記載の装置。
［５０］前記ＷＷＡＮまたは前記ＷＬＡＮのうちの他の一方が前記ＵＥを識別できるようにする１組の識別子を提供する手段は、ロングタームエボリューション（ＬＴＥ）インターネットプロトコル（ＩＰ）アドレスとＷＬＡＮメディアアクセス制御（ＭＡＣ）アドレスとを提供する手段を備える［４８］記載の装置。
［５１］前記ＷＷＡＮに対するものと同一の、前記ＷＬＡＮに対するＩＰコンフィギュレーションを受信する手段をさらに具備する［５０］記載の装置。
［５２］前記決定することは、前記第１の組の識別子からの識別子を、前記第２の組の識別子からの識別子と比較することを含む［４８］記載の装置。
［５３］ＷＷＡＮとＷＬＡＮとのインターワーキングを、前記ＵＥが能力としてサポートすると決定する手段をさらに具備する［５０］記載の装置。
［５４］前記決定に応答して、前記ＷＷＡＮまたは前記ＷＬＡＮのうちの一方を介して、前記ＷＷＡＮまたは前記ＷＬＡＮのうちの他の一方との通信を確立するように指示される手段をさらに具備する［５３］記載の装置。
［５５］ＵＥによる安全なワイヤレス通信のための装置において、
ワイドエリアワイヤレスネットワーク（ＷＷＡＮ）およびワイドローカルエリアネットワーク（ＷＬＡＮ）との通信を確立し、前記ＵＥは、前記ＷＷＡＮ中の第１の組の１つ以上の識別子によって、および、前記ＷＬＡＮ中の第２の組の１つ以上の識別子によって識別されるようにと、
前記ＷＷＡＮまたは前記ＷＬＡＮのうちの最初の一方との通信を確立するときに、前記ＷＷＡＮまたは前記ＷＬＡＮのうちの他の一方が前記ＵＥを識別できるようにする１組の識別子を提供するように構成されている少なくとも１つのプロセッサと、
前記少なくとも１つのプロセッサに結合されているメモリとを具備する装置。
［５６］その上に記憶されている命令を有するコンピュータ読み取り可能媒体を具備する、ＵＥによる安全なワイヤレス通信のためのコンピュータプログラムプロダクトにおいて、
前記命令は、
ワイドエリアワイヤレスネットワーク（ＷＷＡＮ）およびワイドローカルエリアネットワーク（ＷＬＡＮ）との通信を確立し、前記ＵＥは、前記ＷＷＡＮ中の第１の組の１つ以上の識別子によって、および、前記ＷＬＡＮ中の第２の組の１つ以上の識別子によって識別されることと、
前記ＷＷＡＮまたは前記ＷＬＡＮのうちの最初の一方との通信を確立するときに、前記ＷＷＡＮまたは前記ＷＬＡＮのうちの他の一方が前記ＵＥを識別できるようにする１組の識別子を提供することとのために、１つ以上のプロセッサによって実行可能であるコンピュータプログラムプロダクト。
【図１】
0006385958.tif 000002
【図２】
0006385958.tif 000003
【図３】
0006385958.tif 000004
【図４】
0006385958.tif 000005
【図５】
0006385958.tif 000006
【図６】
0006385958.tif 000007
【図７】
0006385958.tif 000008
【図８】
0006385958.tif 000009
【図９】
0006385958.tif 000010
【図１０】
0006385958.tif 000011
【図１１】
0006385958.tif 000012
【図１２】
0006385958.tif 000013
【図１３】
0006385958.tif 000014